(57)【要約】【課題】既設の雪止め具と軒先の間の雪止め具の無い軒先上に堆積する氷塊を暖気によって融けるまで滑落を抑止する取付が容易で安価な軒先雪止め具補助具を提供する。【解決手段】軒先雪止め補助具８（８ａ、８ｂ）は丸又は角の金属棒を曲げ加工して作成される。軒先雪止め補助具８の後端部には既設の雪止め具６に引っ掛けるコの字型のフック部８−１が二方に分けて形成され、この２つのフック部８−１から二本の伸出部８−２が平行に延設され、これら二本の伸出部８−２の先端部が上方に折り曲げられて連結されて突起部８−３が形成される。この突起部８−３は雪が凍結する際に軒先２ｅ上の氷塊中にとどまり氷塊に食い込んで、溶け始めた氷塊の大きさが突起部８−３の捕捉から外れてしまうほど薄く小さくなって危険の少ない大きさになるまで氷塊の滑落を抑止する。【選択図】      図１
2005113574.tif 000002
【特許請求の範囲】
【請求項１】
屋根上の既設の雪止め具に引っ掛け可能に形成されたフック部と、
該フック部から適宜の長さで延在して形成された伸出部と、
該伸出部の先端を上に折り曲げられて形成された突起部と、
を備えたことを特徴とする軒先雪止め補助具。
【請求項２】
前記フック部は、側面から見たときコの字型をなしていることを特徴とする請求項１記載の軒先雪止め補助具。
【請求項３】
前記フック部は２つあり、前記伸出部は二本あり、前記突起部は上に折り曲げられた前記伸出部の先端が連結されて一体に形成されていることを特徴とする請求項１又は２記載の軒先雪止め補助具。
【請求項４】
前記突出部は２つあり、前記伸出部は二本あり、前記フック部はコの字型に折り曲げられた前記伸出部の後端が連結されて一体に形成されていることを特徴とする請求項１又は２記載の軒先雪止め補助具。
【請求項５】
丸又は角の金属棒を折り曲げ加工して形成されたことを特徴とする請求項１、２、３又は４記載の軒先雪止め補助具。
【発明の詳細な説明】
【技術分野】
【０００１】
本発明は軒先雪止め補助具に係わり、更に詳しくは軒先上の雪や氷塊の滑落を防止する軒先雪止め補助具に関する。、
【背景技術】
【０００２】
雪国では、冬になると屋根に大量の雪が降り積もる。屋根上の積雪は、屋内の暖房等によって屋根の表面に接する部分の雪が融け、屋根の傾斜に沿って徐々に滑り落ちて軒先からせり出し、せり出した部分の雪が自重によって地上に落下する。
ところが、寒冷の厳しい地方では、屋根に降り積もった状態の積雪が、屋外の冷気と屋内の暖房との寒暖の繰り返しで融けては固まる状態を繰り返して氷塊になる場合がある。
【０００３】
図５(a) は屋根に降り積もった積雪が氷塊となった状態を模式的に示す図であり、同図(b),(c) はその氷塊によって生じる不具合を示す図である。同図(a) に示すように、一般に、家１の屋根２には、軒桁３に支えられた長さｅの軒先２ｅが形成されている。この屋根２の上に厚い氷塊４が形成される。
【０００４】
屋根２上の氷塊４は、家１の屋内の暖房等によって、氷塊４の屋根２の表面に接する部分が融け、屋根２の傾斜に沿って徐々に滑り落ち、同図(b) に示すように、同図(a) に示した軒先２ｅの長さｅよりも長い長さｎの状態で軒先２ｅから先へせり出してくる。
氷塊４は、軒先２ｅから先へせり出しても、雪のようにせり出し部分が割れて簡単に落下するということがなく、せり出し部分が割れずに滑って更にせり出してくるため、この長さｎの重い氷塊４ｎが、軒先２ｅに軒桁３を支点にした矢印ｔで示すようなトルクによる大きな負荷を与えることになり、この状態が度重なって、やがて同図(c) に示すように軒先２ｅを押し曲げたりして壊すこととなる。
【０００５】
このような氷塊化した積雪による不具合の発生を防止するため、雪国の多くの家屋には雪や氷塊が容易には滑落しないように、屋根に雪止め具が設けられている。
図６(a),(b) は屋根に設けられる雪止め具の配設状態を示す図であり、同図(c) は雪止め具付きの屋根に雪が降り積もった状態を示す図である。同図(a),(b),(c) に示す家１の屋根２は、例えばトタン葺きの屋根を示しており、この屋根２の上には複数本の桟５が屋根２の傾斜に沿って設けられている。この桟５の上に差し渡して軒先２ｅに平行にアングル材の雪止め具６が固定されて配置される。
【０００６】
これにより、同図(c) に示すように、屋根２に降り積もった雪７は、雪止め具６によって雪止め具６よりも上方の雪の滑落が抑止され、軒先２ｅ上の雪や氷塊が上方の雪や氷塊の滑落に押し出されて軒先２ｅよりも先にせり出すことがなくなる。
図６(a),(b),(c) に示すように、屋根２の雪止め具６はは、軒先２ｅを避けて軒桁２ｅよりも上方に配設されているが、これは屋根２全体の積雪や氷塊が下方に押し出されてその重みが軒先２ｅに加わることがないようにするためであり、これによって、図５(c) に示したように軒先２ｅが破壊されることを防止している。
【０００７】
尚、上記の雪止め具は、トタン葺き屋根の例で示しているが、瓦葺屋根の場合は、適宜間隔を置いた瓦上に、半円弧状の雪止め具を設ける例が実用化されており、その改良型も提案されている。（例えば、特許文献１参照。）
また、複数枚の平板の擬似瓦を組み付けて１組とした屋根葺き部材によるユニット葺きと呼ばれる屋根に雪止め具を構成する例も提案されている。（例えば、特許文献２参照。）
いずれにしても、雪止め具の取付位置は、堆積した雪や氷結した雪の負荷が軒先を壊さないように、軒先を避けて軒桁よりも上方に配設される構成が採られている。こにより、軒先に積もった雪や氷塊は、春先の雪融けと共に屋根の勾配に従った自然落下で軒先上から自然に排除される。この雪止め具の機能を、代表的に図６(a),(b),(c) に示したトタン葺き屋根の場合を例にとって以下に説明する。
【０００８】
図７(a) は、図６(c) を再掲した図であり、図７(b) 〜(f) は、雪止め具６の機能を説明する図である。図７(a) に示す屋根２上に降り積もった雪７は、同図(b) に示すように、春先の雪解け時には、雪止め具６よりも上方の雪７は、雪止め具６にせき止められて滑落せず、雪止め具６よりも下方の軒先２ｅ上の雪７ｅのみが先ず滑落する。
【０００９】
また、寒冷地の積雪では、日中の日光や気温上昇による雪解けから深夜の気温低下によって、図７(c) に示すように、積雪７の下に氷塊４が形成されて、この氷塊４が上記の気温上昇と気温低下によって成長する。その氷塊４の上に、同図(d) に示すように、雪７が繰り返し降り積もる。そして、上記の寒暖の繰り返しによって、同図(e) に示すように、更に氷塊４が成長する。
【００１０】
この氷塊４は、日中の気温の上昇、屋内暖房の効いた夜、そして、春先の雪解けの季節になると、屋根２との接触面の氷塊の溶解によって滑落し易くなる。この場合も同図(b) の雪７ｅの場合と同様に、同図(f) に示すように、雪止め具６よりも上方の氷塊４は、雪止め具６にせき止められて滑落しないが、雪止め具６よりも下方の軒先２ｅ上の氷塊４ｅは、雪止め具６によるせき止めによって後方（屋根上方）の氷塊４との連結を絶たれた状態で滑落し、軒先２ｅよりせり出し、大きな氷塊のまま自重によって軒下に落下する。
【特許文献１】特開２００１−００５５８１４号公報（［要約］、図２、図３）
【特許文献２】特開平０９−２４２２８３号公報（［要約］、図１）
【発明の開示】
【発明が解決しようとする課題】
【００１１】
ところで、図７(b) に示す雪止め具６から下の軒先２ｅにかかる雪７ｅのみの滑落は、容積当たりの重量も軽く、雪であるから柔らかく、軒下の歩行者に障害を及ぼす可能性は少ないが、寒冷地における昼夜の寒暖の繰り返しによって氷塊４となって軒先２ｅにかかる氷塊４ｅの部分の滑落は、容積当たりの重量が重く且つ硬いので、軒下の歩行者にとっては障害を引き起こす凶器となり得る。
【００１２】
このため、寒冷地で道路に面する家屋の住人や隣家との隙間の無い家屋の住人にとって春先の雪解けの季節は恐怖の的であり、出歩く際にも気が休まらない。
例えば、軒先２ｅの長さｅを３０ｃｍ、軒先２ｅの横に沿った氷塊４ｅの割れ巾を５０ｃｍ、氷塊４ｅの厚みを１０ｃｍ、比重０．９２とした場合、その氷塊４ｅの大きさは３０×５０×１０×０，９２＝１３８００となり、約１４ｋの重さとなる。さらに軒先２ｅからの落下で加速度がつき、軒下に人がいた場合には大きな事故になりかねないことは容易に察しがつく。
【００１３】
本発明の課題は、上記従来の実情に鑑み、既設の雪止め具と軒先の間の雪止め具の無い軒先上に堆積する氷塊を暖気によって融けるまで滑落を抑止する取付が容易で安価な軒先雪止め具補助具を提供することである。
【課題を解決するための手段】
【００１４】
本発明の軒先雪止め補助具は、屋根上の既設の雪止め具に引っ掛け可能に形成されたフック部と、該フック部から適宜の長さで延在して形成された伸出部と、該伸出部の先端を上に折り曲げられて形成された突起部と、を備えて構成される。
上記フック部は、例えば側面から見たときコの字型をなしているように構成される。
【００１５】
この軒先雪止め補助具は、例えば上記フック部は２つあり、上記伸出部は二本あり、上記突起部は上に折り曲げられた上記伸出部の先端が連結されて一体に形成されていてもよく、また、例えば上記突出部は２つあり、上記伸出部は二本あり、上記フック部はコの字型に折り曲げられた上記伸出部の後端が連結されて一体に形成されていてもよい。
【００１６】
また、この軒先雪止め補助具は、例えば丸又は角の金属棒を折り曲げ加工して形成されることが好ましい。
【発明の効果】
【００１７】
本発明の軒先雪止め具補助具によれば、寒暖の繰り返しによって生じる軒先上の氷塊を保持して氷塊の自然解氷時まで滑落を抑止するので、軒下への氷塊の落下による人身事故等の災難の発生を防止することができる。
また、既設の雪止め具に単に引っ掛けるように取付けるだけでよいので、単純な構造で製造コストが安く、且つ取り付が簡単であり大工事の必要性が無いため低価格で提供することができて便利である。
【発明を実施するための最良の形態】
【００１８】
以下、本発明の実施の形態を図面を参照しながら説明する。
図１(a) は、一実施の形態に係わる軒先雪止め補助具の屋根への配設状態を示す図であり、同図(b) は、その拡大図、同図(c),(d) は、軒先雪止め補助具の形状を２例示すと共に既設の雪止め具との係合状態を示す側面図である。
【００１９】
同図(a) 〜(d) に示すように、本例における軒先雪止め補助具８（８ａ、８ｂ）は、丸又は角の金属棒を曲げ加工するだけで作成される。
この軒先雪止め補助具８の後端部には、既設の雪止め具６に引っ掛けるコの字型のフック部８−１が二方に分けて形成されている。そして、この２つのフック部８−１からは二本の伸出部８−２が平行に延設されている。これら二本の伸出部８−２の先端部は上方に折り曲げられ、折り曲げられた上端部が連結された形状の突起部８−３が形成されている。この突起部８−３は、雪が凍結する際に氷塊の中に閉じこめられる
尚、上記のコの字型のフック部８−１は、同図(c) に示す軒先雪止め補助具８ａのように、既設の雪止め具６に下から上に回り込むようにして引っ掛けるように形成してもよく、また同図(d) に示す軒先雪止め補助具８ｂのように、既設の雪止め具６に上から下に回り込むようにして引っ掛けるように形成してもよい。そのフック部８−１の形状に応じて伸出部８−２の形状もやや異なって形成される。
【００２０】
図２(a) 〜(d) は、上記の軒先雪止め補助具８の機能を説明する図である。同図(a),(b) は、屋根２上の積雪が雪７のまま雪解け季節を迎えた状態を示している。この場合は、同図(b) に示すように、屋根２上の雪７は、既設の雪止め具６よりも上方の雪７は雪止め具６に堰き止められて雪止め具６の上方にとどまったまま溶けていき、既設の雪止め具６よりも下方の雪７ｅは、軒先雪止め補助具８の先端の突起部８−３により滑落を抑止されて、軒先２ｅ上にとどまったまま、突起部８−３の抑止から外れるほど小さな塊になるまで溶けていく。
【００２１】
また、図２(c),(d) は、屋根２上の積雪が、雪７の下部が凍結して氷塊４が形成された状態で雪解け季節を迎えた状態を示している。この場合は、同図(d),(d) に示すように、既設の雪止め具６から軒先２ｅにかけて積もった雪７が凍結して氷塊４ｅとなる際、軒先雪止め補助具８先端の突起部８−３を包め込むようにして凍結するため、突起部８−３が氷塊４ｅに食い込み、氷塊４ｅの滑落を抑止する。
【００２２】
そして、突起部８−３は、気温上昇により突起部８−３の周りの氷塊４ｅが解氷を開始するまで氷塊４ｅを捕捉しており、溶け始めた氷塊の大きさが、突起部８−３の捕捉から外れてしまうほど薄く小さくなって危険の少ない大きさになるまで、氷塊の軒下への落下を抑制することができる。
【００２３】
実験によれば、１個の軒先雪止め補助具８のフック部８−１の形成幅（伸出部８−２が平行に形成されている場合は突起部８−３の幅も同様）は６０ｍｍ程度でよく、これを適宜の間隔で既設の雪止め具６に取り付けることにより、氷塊の軒下への落下を十分抑制することができることが判明している。
【００２４】
図３(a) 〜(f) は、本例の軒先雪止め補助具８の採り得べき種々の形状を示す図である。同図(a) の軒先雪止め補助具８ｃは、丸金属棒を折り曲げ加工したもので、図１(a),(b) に示した軒先雪止め補助具８ａとほぼ同様の形状であるが、この軒先雪止め補助具８ｃでは、フック部８−１の先端が丸められて小さなリング９が形成されている。
【００２５】
この軒先雪止め補助具８ｃを既設の雪止め具６へ取り付けたとき、上記のリング９に適宜の針金を挿通し、その針金を伸出部８−２に絡めて結び付けて、雪止め補助具８ｃ全体を既設の雪止め具６から外れないように容易に固定することができる。
同図(b) の軒先雪止め補助具８ｄも上記と同様の構成であるが、同図(a) の軒先雪止め補助具８ｃでは二本の伸出部８−２の間隔が先細り状に形成されているのに対し、同図(b) の軒先雪止め補助具８ｄでは二本の伸出部８−２の間隔が平行である点が異なる。
【００２６】
また、同図(c) の軒先雪止め補助具８ｅは、同図(a) の軒先雪止め補助具８ｃのフック部８−１が既設の雪止め具６に下から上に回り込むようにして引っ掛ける形状であるのに対し、既設の雪止め具６に上から下に回り込むようにして引っ掛ける形状である点が同図(a) の場合と異なる。
【００２７】
また、同図(d) の軒先雪止め補助具８ｆも、同図(b) の軒先雪止め補助具８ｄのフック部８−１が既設の雪止め具６に下から上に回り込むようにして引っ掛ける形状であるのに対し、既設の雪止め具６に上から下に回り込むようにして引っ掛ける形状である点が同図(b) の場合と異なる。
【００２８】
尚、同図(a) 〜(d) に示す軒先雪止め補助具８ｃ〜８ｆに示すリング９の部分は、リングとせずに、単に先端を折り曲げるだけでもよい。要は固定用の針金がフック部８−１から軒先雪止め補助具８の先端方向へ外れない形状であればよい。
また、同図(e) の軒先雪止め補助具８ｇは、角金属棒を折り曲げ加工したもので、同図(a) 〜(d) では二つに分かれているフック部８−１が、同図(e) ではフック部８−１が連結されて一体となっている。これに代わって先端の突起部８−３が二つに分かれている。
【００２９】
また、同図(f) の軒先雪止め補助具８ｈも、同図(e) と同様の構成であるが、同図(e) の軒先雪止め補助具８ｇのフック部８−１が既設の雪止め具６に下から上に回り込むようにして引っ掛ける形状であるのに対し、既設の雪止め具６に上から下に回り込むようにして引っ掛ける形状である点が同図(e) の場合と異なる。
【００３０】
図４は、雪止め具付き瓦葺き屋根に、本例の軒先雪止め補助具８を配設した状態を示す図である。雪止め具付き瓦葺き屋根１０の瓦１１には、適宜の位置の瓦１１において既設の雪止め具１２が配置されている。
瓦用の雪止め具１２は、通常円弧状を成しており、瓦１１の表面と雪止め具１２との間には空間が形成されている。このように雪止め具１２が円弧状を成して上部が瓦１１の表面から離れていることによって、雪止めの機能を果たしている。
【００３１】
この雪止め具１２と瓦１１との間に形成されている空間と利用して、例えば図３(e) に示した軒先雪止め補助具８ｇを取り付ける。勿論、軒先雪止め補助具８ｇと限ることなく、図３(a) 〜(h) に示したいずれの形の軒先雪止め補助具８でも取り付け可能である。
この場合も、屋根の積雪に対する軒先雪止め補助具８の機能は、図２(a) 〜(d) で説明した場合と同様である。
【００３２】
このように、本例の軒先雪止め補助具８の屋根への取り付け方法は極めて簡単で、フック部８−１を屋根２（又は１０）の上方から既設の雪止め具６（又は１２）に引っ掛けて、フック部８−１を針金等で既設の雪止め具６（又は１２）に固定して、取り付けが完了する。
【００３３】
また、本例の軒先雪止め補助具８は、丸又は角の金属棒の折り曲げ加工により、面を持たない構造であるため、風の影響によるばたつきもなく、雨水の流れにも影響を与えない構造となっている。
そして、本例の軒先雪止め補助具８の形状は、単純な構造であるため極めて安価な部品として提供することができる。
【００３４】
尚、上述した実施の形態では、軒先雪止め補助具８の伸出部８−２を二本で構成しているが、これに限ることなく、１本で形成してもよく、また３本以上で形成してもよい。
【図面の簡単な説明】
【００３５】
【図１】(a) は一実施の形態に係わる軒先雪止め補助具の屋根への配設状態を示す図、(b) はその拡大図、(c),(d) は軒先雪止め補助具の形状を２例示すと共に既設の雪止め具との係合状態を示す側面図である。
【図２】(a) 〜(d) は一実施の形態に係わる軒先雪止め補助具の機能を説明する図である。
【図３】(a) 〜(f) は本例の軒先雪止め補助具の採り得べき種々の形状を示す図である。
【図４】雪止め具付き瓦葺き屋根に本例の軒先雪止め補助具を配設した状態を示す図である。
【図５】(a) は屋根に降り積もった積雪が氷塊となった状態を模式的に示す図、(b),(c) はその氷塊によって生じる不具合を示す図である。
【図６】(a),(b) は従来の屋根に設けられる雪止め具の配設状態を示す図、(c) は雪止め具付きの屋根に雪が降り積もった状態を示す図である。
【図７】(a) は雪止め付きの屋根に雪が降り積もった状態を再掲した図、(b) 〜(f) は雪止め具の機能を説明する図である。
【符号の説明】
【００３６】
１      家
２      屋根
２ｅ  軒先
３      軒桁
４      氷塊
４ｅ  滑落中の軒先上の氷塊
４ｎ  氷塊せり出し部分
５      屋根の桟
６      雪止め
７      雪
７ｅ  滑落中の軒先上の雪
８（８ａ、８ｂ、８ｃ、８ｄ、８ｅ、８ｆ、８ｇ、８ｈ）  軒先雪止め補助具
８−１  フック部
８−２  伸出部
８−３  突起部
９      リング
１０    雪止め具付き瓦葺き屋根
１１    瓦
【図１】
2005113574.tif 000003
【図２】
2005113574.tif 000004
【図３】
2005113574.tif 000005
【図４】
2005113574.tif 000006
【図５】
2005113574.tif 000007
【図６】
2005113574.tif 000008
【図７】
2005113574.tif 000009